(57)【要約】      （修正有）【課題】害を及ぼさない小型生物の生命までもをむやみに奪わず、誤って傷つけたり、死に至らしめない捕獲器を提供する。【解決手段】カップ状の容器１を小型生物Ａの上にかぶせる。その後、薄い板状のもの２をカップ状の容器１と床・壁等の接触面との間に挿入し、小型生物Ａが薄い板状のもの２の上に乗るようにスライドさせる。小型生物Ａが薄い板状のもの２の上に移動していることを確認したのち、カップ状の容器１と薄い板状のもの２を持ち上げ、小型生物Ａを逃がしたい場所へ移動する。屋外に通じる窓や扉等を開けた後、カップ状の容器１と薄い板状のもの２を逆さにして小型生物Ａをカップ状の容器１の内部へ移動させる。薄い板状のもの２を片手でずらし、もう片方の手でカップ状の容器１を振り、小型生物Ａを屋外へ逃がす。【選択図】図１
2013183644.tif 000002
【特許請求の範囲】
【請求項１】
カップ状の容器１と、前記容器と床・壁等の接触面との間に挿入する薄い板状のもの
２を備えたことを特徴とする小型生物捕獲器（図１参照）。
【請求項２】
カップ状で上部に持ち手状のもの（形状は問わない）３が付いた容器１と、前記容器
と床・壁等の接触面との間に挿入する薄い板状のもの２を備えたことを特徴とする小
型生物捕獲器（図２参照）。
【請求項３】
カップ状で側面に持ち手状のもの（形状は問わない）４が付いた容器１と、前記容器
と床・壁等の接触面との間に挿入する薄い板状のもの２を備えたことを特徴とする小
型生物捕獲器（図３参照）。
【請求項４】
カップ状で、側面に指をあてるくぼみ５が付いた容器１と、前記容器と床・壁等の接
触面との間に挿入する薄い板状のもの２を備えたことを特徴とする小型生物捕獲器
（図４参照）。
【請求項５】
カップ状で、側面に指をあてる滑り止め６が付いた容器１と、前記容器と床・壁等の
接触面との間に挿入する薄い板状のもの２を備えたことを特徴とする小型生物捕獲器
（図５参照）。
【請求項６】
請求項１〜５のいずれかの構造を複数併せ持つカップ状の容器１と、前記容器と床・
壁等の接触面との間に挿入する薄い板状のもの２を備えたことを特徴とする小型生物
捕獲器（図６参照）。
【発明の詳細な説明】
【技術分野】
【０００１】
本発明は、屋内に侵入したクモ・ガ・ダンゴムシ・ナメクジ・ヤスデ等の小型生物
を捕獲・解放するために使用される小型生物捕獲器に関する。
【背景技術】
【０００２】
従来、屋内にクモ・ガ・ダンゴムシ・ナメクジ・ヤスデ等の小型生物が侵入した場合
には、
１．血を吸う・針で刺す・咬むなどの害を及ぼす・及ぼさないに関わらず、直ちに
退治する
２．手や網等で捕獲し、屋外へ逃がす
３．ほうき等で掃き出すことにより、屋外へ逃がす
４．小型生物が苦手なため手で触れることができなかったり、道具でうまく逃がすこ
とができなかったりした場合は、やむなく退治する
などして対処していた。
【先行技術文献】
【非特許文献】
【０００３】
【非特許文献１】公開特許公報（Ａ）特許公開２００６−２５６３４
【発明の開示】
【発明が解決しようとする課題】
【０００４】
しかし、従来の対処法には次のような解決すべき課題があった。
１．血を吸う・針で刺す・咬むなどの害を及ぼさない小型生物の生命までもをむや
みに奪ってしまうことがある。
２．誤って小型生物の体を傷つけたり、時には死に至らしめたりしてしまうことがあ
る。
３．小型生物が持つ鱗粉や分泌物等によって手や道具が汚れ、落ちにくいことがある。
４．小型生物の攻撃によって手にけがをしたり、体内に毒物が侵入したりすることが
ある。
５．小型生物をむやみに、もしくはやむなく退治することにより、罪悪感・嫌悪感に
さいなまれることがある。
【課題を解決するための手段】
【０００５】
上記課題を解決するために、本発明は次のような構成を採用する。
〈構成１〉
カップ状の容器１と、前記容器と床・壁等の接触面との間に挿入する薄い板状のもの
２を備えたことを特徴とする小型生物捕獲器。（図１参照）
〈構成２〉
カップ状で上部に持ち手状のもの（形状は問わない）３が付いた容器１と、前記容器
と床・壁等の接触面との間に挿入する薄い板状のもの２を備えたことを特徴とする小
型生物捕獲器。（図２参照）
〈構成３〉
カップ状で側面に持ち手状のもの（形状は問わない）４が付いた容器１と、前記容器
と床・壁等の接触面との間に挿入する薄い板状のもの２を備えたことを特徴とする小
型生物捕獲器。（図３参照）
〈構成４〉
カップ状で、側面につかみやすくするために指をあてるくぼみ５が付いた容器１と、
前記容器と床・壁等の接触面との間に挿入する薄い板状のもの２を備えたことを特徴
とする小型生物捕獲器。（図４参照）
〈構成５〉
カップ状で、側面につかみやすくするために指をあてる滑り止め６が付いた容器１と、
前記容器と床・壁等の接触面との間に挿入する薄い板状のもの２を備えたことを特徴
とする小型生物捕獲器。（図５参照）
〈構成６〉
請求項２〜５の符号３〜６のいずれかの構造を併せ持つカップ状の容器１と、前記容
器と床・壁等の接触面との間に挿入する薄い板状のもの２を備えたことを特徴とする
小型生物捕獲器。（図６参照）
【発明の効果】
【０００６】
本発明の小型生物捕獲器には、次のような効果がある。
１．小型生物を安全に屋外へ逃がすことにより、小型生物の生命を保護することがで
きる。
２．小型生物をむやみに、もしくはやむなく退治することにより生じていた罪悪感・
嫌悪感から解放される。
３．カップ状の容器や薄い板状のものの材質をプラスチックにすることにより、水洗
いやアルコール消毒をするなどして何度も繰り返し使うことができ、環境保護に
寄与する。
４．カップ状の容器を透明にすることにより、捕獲した小型生物をしばらく間近で観
察することができる。
５．カップ状の容器を透明カラーにすることにより、インテリア小物としての役割を
持たせつつ使用することができる。
【発明を実施するための最良の形態】
【０００７】
以下、本発明を図の具体例を用いて詳細に説明する。
【実施例１】
【０００８】
図１に、本発明の小型生物捕獲器の基本型の具体例斜視図を示す。
図の小型生物捕獲器は、カップ状の容器１と薄い板状のもの２から構成される。
また、図にはその他に、捕獲対象となる小型生物Ａが示されている。
カップ状の容器１は、使用後水洗いやアルコール消毒をするなどして何度も使える
よう、プラスチック製であることが好ましい。また、捕獲した小型生物Ａを認識し
やすいよう、透明であることが好ましい。形状は、プリンカップ型・半月型など、
つかみやすいものであれば何でもよい。大きさは、幼児から高齢者までが扱いやす
いよう、直径７センチ程度のプリンカップぐらいのものから、直径１５センチ程度
の手桶ぐらいのものまでとするのが好ましいと思われる。
薄い板状のもの２も、カップ状の容器１と同様の理由から、プラスチック製である
ことが好ましい。また、カップ状の容器１と床・壁等の接触面との間に挿入した時
に小型生物Ａを認識しやすいよう、白色であることが好ましい。大きさは、カップ
状の容器と同様の理由から、１辺が９センチ程度のコースターぐらいのものから、
１辺が２０センチぐらいの天ぷら敷紙ぐらいのものまでとするのが好ましいと思わ
れる。また、安全性の面から四隅はやや丸みを帯びていることが好ましい。
【０００９】
以上の小型生物捕獲器は、次のようにして使用する。
カップ状の容器１を、捕獲したい小型生物Ａの上にかぶせる。その後、薄い板状の
もの２をカップ状の容器１と床・壁等の接触面との間に挿入し、小型生物Ａが薄い
板状のもの２の上に乗るようにスライドさせる。この時、小型生物Ａの体を傷付け
ないよう注意を払う。小型生物Ａが薄い板状のもの２の上に移動していることを確
認した後、カップ状の容器１と薄い板状のもの２を片手ずつで押さえながら持ち上
げ、小型生物Ａを逃がしたい場所へ移動する。屋外に通じる窓や扉等を開けた後、
カップ状の容器１と薄い板状のもの２を逆さにして小型生物Ａをカップ状の容器１
の内部（可能ならば逆さにした時の底部）へ移動させる。薄い板状のもの２を片手
でずらし、もう片方の手でカップ状の容器１を振り、小型生物Ａを屋外へ逃がす。
【実施例２】
【００１０】
図２には、カップ状の容器１の上部に持ち手状のもの（形状は問わない）３が付い
た小型生物捕獲器を示した。使用時に持ち手状のもの（形状は問わない）３を握る
以外は、実施例１と同様の使い方をする。
【実施例３】
【００１１】
図３には、カップ状の容器１の側面に持ち手状のもの（形状は問わない）４が付い
た小型生物捕獲器を示した。使用時に持ち手状のもの（形状は問わない）４を握る
以外は、実施例１と同様の使い方をする。
【実施例４】
【００１２】
図４には、カップ状の容器１の側面に指をあてるためのくぼみ５が付いた小型生物
捕獲器を示した。使用時にくぼみ５に指をあてる以外は、実施例１と同様の使い方
をする。
【実施例５】
【００１３】
図５には、カップ状の容器１の側面に滑り止め６が付いた小型生物捕獲器を示した。
使用時に滑り止め６に指をあてる以外は、実施例１と同様の使い方をする。
【実施例６】
【００１４】
図６には、図１〜５の構造をすべて併せ持つ小型生物捕獲器を示した。
使用時には、使用者がいずれかのうち最も使いやすい構造を用いて、実施例１と
同様の使い方をする。
【図面の簡単な説明】
【００１５】
【図１】本発明の小型生物捕獲器の基本型の具体例斜視図を示す。
【図２】本発明の、上部に持ち手状のもの（形状は問わない）が付いたカップ状の              容器による小型生物捕獲器の斜視図を示す。
【図３】本発明の、側面に持ち手状のもの（形状は問わない）が付いたカップ状の              容器による小型生物捕獲器の斜視図を示す。
【図４】本発明の、側面にくぼみが付いたカップ状の容器による小型生物捕獲器の        斜視図を示す。
【図５】本発明の、側面に滑り止めが付いたカップ状の容器による小型生物捕獲器        の斜視図を示す。
【図６】本発明の、図１〜５の構造をすべて併せ持つ小型生物捕獲器の斜視図を示す。
【産業上の利用可能性】
【００１６】
衛生雑貨として、製薬会社・プラスチック製造業者・100円ショップ等で製造・販売
することにより、多数の顧客に購入・使用される可能性がある。
【符号の説明】
【００１７】
Ａ  屋内に侵入した小型生物
１  小型生物にかぶせるカップ状の容器
２  小型生物にかぶせたカップ状の容器と、前記容器と床・壁等の接触面との間に
挿入する薄い板状のもの
３  カップ状の容器の上部に付いた持ち手状のもの（形状は問わない）
４  カップ状の容器の側面に付いた持ち手状のもの（形状は問わない）
５  カップ状の容器の側面に付いたくぼみ
６  カップ状の容器の側面に付いた滑り止め
【図１】
2013183644.tif 000003
【図２】
2013183644.tif 000004
【図３】
2013183644.tif 000005
【図４】
2013183644.tif 000006
【図５】
2013183644.tif 000007
【図６】
2013183644.tif 000008